(57)【特許請求の範囲】
【請求項１】
仕切ろうとする空間の上方に水平に支持されたレールに吊支され、かつ前記レールによって形成された移動経路に沿って移動する複数枚の間仕切パネルにより室内を仕切るとともに、最後の間仕切パネルと、前記空間を形成する壁面との間の隙間を、その間隔に対応する長さの塞ぎパネルにより閉塞してなる移動間仕切装置において、前記塞ぎパネルを、厚さ方向に弾性変形可能な可撓部と、その一側端に連設された塞ぎ部を備えるものとし、前記可撓部の他端を、前記最後の間仕切パネルまたはそれに対向する壁面に前後方向を向くように固着するとともに、前記塞ぎ部における可撓部と反対側の側端を、可撓部を弾性変形させることにより、壁面またはそれに対向する最後の間仕切パネルの側端に弾性係合させるようにしたことを特徴とする移動間仕切装置。
【請求項２】
壁面または最後の間仕切パネルに、塞ぎ部の側端が乗り越えて弾性的に係止可能な係止部材を突設した請求項１記載の移動間仕切装置。
【請求項３】
塞ぎパネルにおける不使用時の平面形を、最後の間仕切パネルまたはそれに対向する壁面に設けた固定パネルの端面及び前後いずれか一方の面に沿ってＬ字形をなすように、可撓部の弾性力により保持するようにした請求項１または２記載の移動間仕切装置。
【請求項４】
塞ぎ部の前後いずれか一方の面に、手掛け用の操作部を設けた請求項１〜３のいずれかに記載の移動間仕切装置。
【請求項５】
塞ぎパネルを、合成樹脂による一体成型品とした請求項１〜４のいずれかに記載の移動間仕切装置。
【請求項６】
塞ぎ部に、最後の間仕切パネルまたは固定パネルの前後いずれか一方の面に吸着することにより、塞ぎパネルを不使用状態に保持する磁石を設けた請求項１〜５のいずれかに記載の移動間仕切装置。
【発明の詳細な説明】
【０００１】
【発明の属する技術分野】
本発明は、宴会場や多目的ホール等の室内空間を仕切る移動間仕切装置に関する。
【０００２】
【従来の技術】
移動間仕切は、大きな部屋を小さく分割したり、用途によってはこのように分割した間仕切を撤収して大きな部屋に戻したりするのに用いられている。
【０００３】
この種の移動間仕切装置においては、間仕切を構成する複数枚の間仕切パネルの個々の移動を円滑に行なえるようにするため、全間仕切パネルの長さの和を、部屋の両側壁間の間隔より若干小とし、それによって形成される間隔を、最後の間仕切パネルのパネル長を調節できるようにすることによって、最終的に閉塞しうるようにしている。このような例として、実開平２−３２５１１号公報記載の間仕切パネル装置がある。
【０００４】
この間仕切パネル装置では、その側端部内に側面移動部材が収容されており、これが押し出されて、壁面との間隙を閉塞するようになっている。またこの公報記載の別実施例の装置では、間仕切パネルの側端に１対の塞ぎパネルが蝶着されており、これら１対の塞ぎパネルを壁面に向かって回動させることにより、壁面との間隙を塞ぐようにしている。
【０００５】
【発明が解決しようとする課題】
しかし、従来の前者のものでは、その構造が複雑で高価であり、また故障の原因ともなっている。同じく後者のものは、１対の塞ぎパネルを間仕切パネルの前後それぞれの側から操作しなければならず、操作性が悪い等の問題がある。
【０００６】
本発明は、上述の問題点に鑑み、構造が簡単で安価に製造でき、かつ簡単な操作で最後の間仕切パネルと壁面等との間隙を塞ぐことができるようにした移動間仕切装置を提供することを目的としている。
【０００７】
【課題を解決するための手段】
本発明によると、上記課題は、次のようにして解決される。
（１）仕切ろうとする空間の上方に水平に支持されたレールに吊支され、かつ前記レールによって形成された移動経路に沿って移動する複数枚の間仕切パネルにより室内を仕切るとともに、最後の間仕切パネルと、前記空間を形成する壁面との間の隙間を、その間隔に対応する長さの塞ぎパネルにより閉塞してなる移動間仕切装置において、前記塞ぎパネルを、厚さ方向に弾性変形可能な可撓部と、その一側端に連設された塞ぎ部を備えるものとし、前記可撓部の他端を、前記最後の間仕切パネルまたはそれに対向する壁面に前後方向を向くように固着するとともに、前記塞ぎ部における可撓部と反対側の側端を、可撓部を弾性変形させることにより、壁面またはそれに対向する最後の間仕切パネルの側端に弾性係合させる。
【０００８】
（２）上記(１)項において、壁面または最後の間仕切パネルに、塞ぎ部の側端が乗り越えて弾性的に係止可能な係止部材を突設する。
【０００９】
（３）上記(１)または(２)項において、塞ぎパネルにおける不使用時の平面形を、最後の間仕切パネルまたはそれに対向する壁面に設けた固定パネルの端面及び前後いずれか一方の面に沿ってＬ字形をなすように、可撓部の弾性力により保持する。
【００１０】
（４）上記(１)〜(３)項のいずれかにおいて、塞ぎ部の前後いずれか一方の面に、手掛け用の操作部を設ける。
【００１１】
（５）上記(１)〜(４)項のいずれかにおいて、塞ぎパネルを、合成樹脂による一体成型品とする。
【００１２】
（６）上記(１)〜(５)項のいずれかにおいて、塞ぎ部に、最後の間仕切パネルまたは固定パネルの前後いずれか一方の面に吸着することにより、塞ぎパネルを不使用状態に保持する磁石を設ける。
【００１３】
【発明の実施の形態】
図１は、部屋の天井(１)もしくは、天井(１)よりも下方の室内空間に水平に架設したレール(２)により吊支された複数枚の間仕切パネル(３)が、レール(２)によって形成された移動経路に沿って順次直列に並べられて部屋を分割した状態を示している。最後の間仕切パネル(４)の側端と壁面(６)との間の隙間は、幅の小さな塞ぎパネル(７)により閉塞されている。
【００１４】
図２は、最後の間仕切パネル(４)、塞ぎパネル(７)及び壁面(６)の水平横断平面図を示している。(4a)は、最後の間仕切パネル(４)を床面の予め定めた位置に設けた凹孔（図示略）に落とし込むことにより、間仕切パネル(４)を定位置に固定するための係止ピンである。
【００１５】
間仕切パネル(４)の前後（以下、図２の紙面上方を前として説明する）両面には、薄肉鋼板を折り曲げて形成した表面材(８)の中に、軽量材料(５)を包み込んだパネル板(９)が止着されている。また、間仕切パネル(４)の側端面には、例えば合成樹脂により成形された中空の端面材(10)が取り付けられている。
【００１６】
塞ぎパネル(７)は、間仕切パネル(４)の上下寸法と等長をなすように、合成樹脂により一体成形され、その間仕切パネル(４)側の角筒形断面をなす端部(7a)は、ねじ(11)により端面材(10)の中央に固着されている。
【００１７】
塞ぎパネル(７)の端部(7a)の右方の後端縁には、間仕切パネル(４)の端面と平行をなす比較的薄肉の平板状の可撓部(12)が、上下方向の全長に亘って形成されている。可撓部(12)は、厚さ方向に弾性変形可能であるが、外力が加わっていない不使用状態では、間仕切パネル(４)の端面と平行に後向きに延びており、その端部は、間仕切パネル(４)の後面とほぼ等しい位置まで達している。
【００１８】
上記可撓部(12)の後端には、間仕切パネル(４)の後面に沿って直角に延びる塞ぎ部(13)が連設され、平面形がＬ字形をなしている。なお、可撓部(12)と塞ぎ部(13)とのなす角度を鋭角とすれば、塞ぎ部(13)を間仕切パネル(４)に向けて積極的に付勢することもできる。
塞ぎ部(13)の左右の後端縁には、補強を兼ねる内向きＬ字状断面の指掛け用の操作部(14a)(14b)が形成され、左方の操作部(14b)には、左方に向かってほぼ直角に折れ曲がる係合片(15)が連設されている。
【００１９】
最後の間仕切パネル(４)の端面と対向する壁面(６)には、塞ぎパネル(７)の全長とほぼ等長の係止部材(16)が突設されている。
【００２０】
このような塞ぎパネル(７)により、最後の間仕切パネル(４)と壁面(６)との間の間隙を塞ぐには、図３に示すように、塞ぎパネル(７)の操作部(14a)か(14b)に手を掛けて、塞ぎ部(13)を、矢印で示すように前方に９０度回動させる。
この回動時において、可撓部(12)は、半円形に弾性変形させられるとともに、塞ぎ部(13)を若干間仕切パネル(４)側に変位するのを弾性的に許容するので、先端の係合片(15)は、係止部材(16)を乗り越えて、前方に位置させることができる。  これにより、塞ぎ部(13)には、可撓部(12)による弾性復元力が作用するので、係合片(15)は係止部材(16)の前面に圧接し、間仕切りパネル(４)と壁面(６)との間の間隙が確実に閉塞される。
【００２１】
図３の閉塞状態から開放するには、操作部(14a)に手を掛けて、塞ぎ部(13)を間仕切パネル(４)の端面側に押動させ、係合片(15)と係止部材(16)との係合を外せばよい。この際、塞ぎパネル(７)は、可撓部(12)の弾性作用により、図２の状態に戻る。
【００２２】
図４に示す変形例では、上記実施形態のものより、薄肉とした最後の間仕切パネル(17)の側端面に、係止部材(16)を設けるとともに、それと対向する壁面に、固定パネル(18)を設け、固定パネル(18)の側端面に塞ぎパネル(７)を取付けてある。また、塞ぎパネル(７)の塞ぎ部(13)の後面適所には、磁石(19)が取り付けてあり、塞ぎパネル(７)が開位置にある不使用時に、磁石(19)が固定パネル(18)の鋼製の表面材(18a)に吸着して、開位置に保持されるようになっている。
【００２３】
【発明の効果】
請求項１記載の発明によれば、塞ぎパネルの構造が簡単で安価に製造でき、かつ簡単な操作で最後の間仕切パネルと壁面等との間隙を塞ぐことができる。
【００２４】
請求項２記載の発明によれば、塞ぎパネルを容易に閉塞状態としたり、開放状態としたりすることができる。
【００２５】
請求項３記載の発明によれば、不使用時において塞ぎパネルがぐら付く恐れは小さく、かつ間仕切パネルまたは固定パネルの面に沿って保持されるので、体裁が向上する。
【００２６】
請求項４記載の発明によれば、塞ぎパネルを、前後いずれか一方より容易に操作して、閉塞状態や開放状態とすることができる。
【００２７】
請求項５記載の発明によれば、上下寸法の大きな塞ぎパネルでも、押し出し成形等により安価に製造することができる。
【００２８】
請求項６記載の発明によれば、不使用時において、塞ぎパネルを、最後の間仕切パネルまたは固定パネルの前後いずれか一方の面に確実に保持させることができるので、ぐら付く恐れはない。
【図面の簡単な説明】
【図１】本発明の一実施形態における室内に間仕切パネルを建て込んだ状態を示す斜視図である。
【図２】図１に示す最後の間仕切パネルの側端部における塞ぎパネルの開放時の拡大部分横断平面図である。
【図３】同じく、最後の間仕切パネルの側端部における塞ぎパネル閉塞時の拡大部分横断平面図である。
【図４】塞ぎパネルを固定パネルに取付けた別の実施形態における拡大部分横断平面図である。
【符号の説明】
(１)天井
(２)レール
(３)間仕切パネル
(４)最後の間仕切パネル
(4a)係止ピン
(５)軽量材料
(６)壁面
(７)塞ぎパネル
(7a)端部
(８)表面材
(９)パネル板
(10)端面材
(11)ねじ
(12)可撓部
(13)塞ぎ部
(14a)(14b)操作部
(15)係合片
(16)係止部材
(17)最後の間仕切パネル
(18)固定パネル
(18a)表面材
(19)磁石
【図１】
0003863432.tif 000002
【図２】
0003863432.tif 000003
【図３】
0003863432.tif 000004
【図４】
0003863432.tif 000005